(57)【特許請求の範囲】
【請求項１】
カメラ部と分離した映像処理部を有する映像入力装置において、
前記映像処理部は、
設定された信号処理モードに応じて、カメラ部から入力される映像クロック信号をカウントして同期信号を生成し前記カメラ部からの映像信号に所定の処理を施す信号処理回路と、
前記信号処理モードを、第１画素数の撮像素子を備える第１カメラ部に対応した信号処理を行う第１信号処理モードに設定する第１設定手段と、
前記第１信号処理モードに設定された状態で前記カメラ部と通信し、前記カメラ部との間の同期信号の間隔を測定する測定手段と、
前記測定された同期信号の間隔が、第１カメラ部との通信により得られる同期信号の間隔幅以内であった場合、操作者に対して第１カメラ部と接続している旨の通知を行う第１通知手段と、
前記測定された同期信号の間隔が、第１カメラ部とは異なる第２画素数の撮像素子を備える第２カメラ部との通信により得られる同期信号の間隔幅以内であった場合、前記信号処理モードを前記第２カメラ部に対応した信号処理を行う第２信号処理モードに設定する第２設定手段と、
前記第２信号処理モードに設定後、操作者に対して第２カメラ部と接続している旨の通知を行う第２通知手段と、を備えることを特徴とする映像入力装置。
【請求項２】
前記測定された同期信号の間隔が、第１カメラ部及び第２カメラ部のどちらの同期信号の間隔幅以内でもなかった場合、操作者に対していずれのカメラ部とも未接続である旨の通知を行う第３の通知手段をさらに備えることを特徴とする請求項１に記載の映像入力装置。
【請求項３】
前記測定された同期信号の間隔が、第１カメラ部及び第２カメラ部のどちらの同期信号の間隔幅以内でなかった場合、前記信号処理回路からの映像出力をミュートすることを特徴とする請求項２に記載の映像入力装置。
【請求項４】
カメラ部と分離し、設定された信号処理モードに応じて、カメラ部から入力される映像クロック信号をカウントして同期信号を生成し前記カメラ部からの映像信号に所定の処理を施す信号処理回路を有する映像処理部の映像入力方法であって、
前記信号処理モードを、第１画素数の撮像素子を備える第１カメラ部に対応した信号処理を行う第１信号処理モードに設定する第１設定工程と、
前記第１信号処理モードに設定された状態で前記カメラ部と通信し、前記カメラ部との間の同期信号の間隔を測定する測定工程と、
前記測定された同期信号の間隔が、第１カメラ部との通信により得られる同期信号の間隔幅以内であった場合、操作者に対して第１カメラ部と接続している旨の通知を行う第１通知工程と、
前記測定された同期信号の間隔が、第１カメラ部とは異なる第２画素数の撮像素子を備える第２カメラ部との通信により得られる同期信号の間隔幅以内であった場合、前記信号処理モードを前記第２カメラ部に対応した信号処理を行う第２信号処理モードに設定する第２設定工程と、
前記第２信号処理モードに設定後、操作者に対して第２カメラ部と接続している旨の通知を行う第２通知工程と、を備えることを特徴とする映像入力方法。
【発明の詳細な説明】
【０００１】
【発明の属する技術分野】
本発明は複数のカメラ部を脱着可能な映像入力装置に関する。
【０００２】
【従来の技術】
従来の映像入力装置においては画素数の異なるカメラヘッドを交換することは考えられていなかった。
【０００３】
しかし最近になって異なるタイプのカメラヘッドを選択的に交換可能にしたいという要望が高まりつつある。
【０００４】
【発明が解決しようとする課題】
しかしながら、このように画素数の異なるカメラヘッドを選択的に用いた場合には同期がずれてしまうという問題がある。
【０００５】
本発明は上記従来例における問題、特に画素数の異なるカメラヘッドを交換可能にしたばあいに発生する同期ずれの問題を解決することを目的とする。
【０００６】
【課題を解決するための手段】
本発明においては上記問題を解決するために、本発明の映像入力装置は、カメラ部と分離した映像処理部を有する映像入力装置において、前記映像処理部は、設定された信号処理モードに応じて、カメラ部から入力される映像クロック信号をカウントして同期信号を生成し前記カメラ部からの映像信号に所定の処理を施す信号処理回路と、前記信号処理モードを、第１画素数の撮像素子を備える第１カメラ部に対応した信号処理を行う第１信号処理モードに設定する第１設定手段と、前記第１信号処理モードに設定された状態で前記カメラ部と通信し、前記カメラ部との間の同期信号の間隔を測定する測定手段と、前記測定された同期信号の間隔が、第１カメラ部との通信により得られる同期信号の間隔幅以内であった場合、操作者に対して第１カメラ部と接続している旨の通知を行う第１通知手段と、前記測定された同期信号の間隔が、第１カメラ部とは異なる第２画素数の撮像素子を備える第２カメラ部との通信により得られる同期信号の間隔幅以内であった場合、前記信号処理モードを前記第２カメラ部に対応した信号処理を行う第２信号処理モードに設定する第２設定手段と、前記第２信号処理モードに設定後、操作者に対して第２カメラ部と接続している旨の通知を行う第２通知手段と、を備えることを特徴とする。
【０００８】
【発明の実施の形態】
図１は本発明の第１実施例の映像入力装置の構成を示すブロック図である。
【０００９】
１００はカメラ部、２００は拡張ボード又は拡張カード形状の画像処理部、４００はＰＣホスト端末である。カメラ部１００と画像処理部２００は例えばケーブル１０９で接続される。画像処理部２００はバスｉ／ｆ（インターフェース）２０８により、ホスト端末４００の拡張スロットにインサートすることにより電気的に接続される。ホスト端末４００からバスｉ／ｆ２０８経由で画像処理部２００及びカメラ部１００の制御を行う。
【００１０】
カメラ部１００は２００に対して交換可能であり、１４０は例えば２７万画素のＣＣＤカメラ、１５０は例えば４１万画素のＣＣＤカメラである。
【００１１】
カメラ部１４０の構成について説明する。
【００１２】
１０８はシステム制御部で、ＣＰＵ、ＲＯＭ、ＲＡＭ、制御ポート、通信ポート等の機能を有するワンチップマイコンからなる。システム制御部１０８はカメラ部１４０の各デバイスを制御し、シリアルデータ線１１３、ケーブル１０９等を介して画像処理部２００と双方向通信を行う。
【００１３】
１０１は、撮像レンズ、フォーカスレンズ、フォーカスレンズを手動で動かすためのフォーカスリング等を備えたレンズ部である。１０２はレンズ部１０１を通過する入射光量を調整するアイリスユニットで、アイリスおよびアイリスを手動で動かすためのアイリスリング等を備える。１０３はレンズ部１０１及びアイリス１０２を経由した映像を光電変換し電気信号に変換するＣＣＤ等の撮像素子であり、例えば２７万画素の撮像素子を有する。１０５は撮像素子１０３の画素数に応じて蓄積動作、読み出し動作、リセット動作等を制御する撮像素子タイミングパルス発生器（以下ＴＧ）で、映像クロック１１０（９．５ＭＨｚ）を画像処理部２００に供給する。システム制御部１０８からの不図示の制御線によりＴＧ１０５は制御されＣＣＤ１０３のシャッタースピードを変えることが出来る。１０４は撮像素子１０３の蓄積電荷のノイズを低減するためにサンプリングホールドを行うと共に、撮像信号のゲインを調整するＳ／Ｈ・ＡＧＣ回路であり、撮像信号１１４を出力すると共にシステム制御部１０８からの制御により撮像信号１１４のゲイン調整をする。１１３はカメラ部１００と画像処理部２００との間で双方向データ通信を行う為のデータ線であり、システム制御部のシリアル通信ポートに接続されている。１１１は画像処理部２００から供給される映像同期信号で、水平同期信号と垂直同期信号が多重化されている。
【００１４】
１２０は映像信号１１４に画像処理部２００への送信データを多重化すると共に、信号処理部２００で多重化され送られてきた受信データを分離する多重分離化部である。データと多重化された映像信号１２１はケーブル１０９を経由して信号処理部２００に供給される。多重分離化部１２０で分離された受信データはシリアルデータ線１１３を介してシステム制御部１０８に送信される。
【００１５】
１０７はケーブル１０９と脱着可能なコネクタである、ケーブル１０９は映像・データ多重信号１２１、映像クロック１１０をカメラ部１４０から画像処理部２００に供給し、同期信号１１１を画像処理部２００からカメラ部１００に供給する。またケーブル１０９で信号処理部２００からヘッド部１００へ電源、グランド等も提供する。
【００１６】
カメラ部１５０の構成について説明する。カメラ部１４０との差異は撮像素子１２３とＴＧ１３０であり他はカメラ部１４０と同様なので説明を省略する。
【００１７】
１２３はＣＣＤ等の撮像素子であり、例えば４１万画素の撮像素子を有する。１３０は撮像素子１２３の画素数に応じて蓄積動作、読み出し動作、リセット動作を制御する撮像素子タイミングパルス発生器（以下ＴＧ）で、映像クロック１２６（１４．３ＭＨｚ）を画像処理部２００に供給する。
【００１８】
次に画像処理部２００について説明する。
【００１９】
２５０はシステム制御部で、ＣＰＵ、ＲＯＭ、ＲＡＭ、制御ポート、通信ポート等の機能を有するワンチップマイコンからなる。システム制御部２５０は画像処理部２００の各デバイスの制御、オートホワイトバランス制御、カメラ部１００との通信、バスｉ／ｆ２０８を介したホスト端末４００との通信を行う。またホスト部４００からのコマンドを解釈しホスト部４００から要求された動作を行う。
【００２０】
２３０は各種データの多重化された映像信号２３１から受信データと映像信号を分離すると共に、カメラヘッドへ送信する各種データを映像信号に多重化する多重・分離化部である。分離された映像信号２１７はＡＤ変換回路２０１に供給される。分離されたヘッドからの受信データはシリアルデータ線２２２でシステム制御部２５０に送信される。
【００２１】
２０１は映像信号２１７をデジタル信号２１８に変換するＡＤ変換回路である。２０２はデジタル変換された撮像信号２１８を規格化されたデジタル映像信号２１６に変換する処理を行う信号処理回路である。信号処理回路２０２は又、垂直同期信号（Ｖ＿ｓｙｎｃ）の周期で、カメラヘッドに送信する為の露出制御用の被写体の明るさデータ、ホワイトバランス制御のためのホワイトバランスデータをシステム制御部２５０に送る。信号を認識したシステム制御部２５０はシリアルデータライン２２３を介してこれらの情報を読み出し、これをシステム制御部２５０内の不図示のＲＡＭエリアに書き込む。システム制御部２５０はシリアルデータライン２２３を介して、信号処理回路２０２のモード設定を行う。例えばカメラ部１００が２７万画素の場合は２７万画素モードに、４１万画素の時は４１万画素に設定する。
【００２２】
２０４は規格化されたデジタル映像信号２１９をコンポジット信号２２１に変換するためのエンコーダ回路で２１０の映像出力コネクタにコンポジット信号２２１を出力する。またシステム制御部２５０からの設定により、コンポジット信号２２１のミュートを選択的に行う。２０６は信号処理回路２０２及びＳＲＣ２０７からのデジタル映像信号を蓄積する画像メモリである。２０５は画像メモリ２０６の読み出し・書き込みの制御を行うメモリコントローラ回路である。２０７は画像処理部２００のデジタル映像信号２１３とホスト端末のデジタル映像信号２１４の縦横比の違いを変換して吸収するスキャンレートコンバータ回路（ＳＲＣ）である。２０８はホスト端末であるコンピュータのバスに接続されるバスｉ／ｆ回路で、ホスト端末と画像処理部２００との間でデジタル映像信号２１４、制御データ２２６のデータ通信を行うとともに、ホスト端末からメモリコントローラ２０５、ＳＲＣ２０７の制御を行うｉ／ｆ（インターフェース）を提供する。
【００２３】
２１５はカメラ部１００から供給される映像クロック信号で、カメラ部１００の信号１１０に対応する。映像クロック２１５は信号処理回路２０２に供給される。画像処理部２０２はクロック２１５から映像同期信号２２０（ｓｙｎｃ）を生成する。映像同期信号２２０はケーブル１０９を介してカメラ部１００に供給されると共に、メモリコントローラ２０５、エンコーダ２０４に提供される。
【００２４】
２２２はカメラ部１００と画像処理部２００との間で双方向データ通信を行うシリアルデータ線であり、システム制御部２０９のシリアルデータポートに接続されている。
【００２５】
２２６はホスト端末と画像処理部２００との間で双方向データ通信を行うパラレルデータ線であり、システム制御部２０９の制御ポートに接続されている。
【００２６】
２２７はディップスイッチであり、カメラヘッドの識別を行う。ユーザは接続されるカメラヘッドの種類によりディップスイッチを切り替える。
【００２７】
以上の様な構成のシステムに於いて、ユーザは、カメラ部を交換することにより、用途に応じた解像度にカメラを選択できる。カメラヘッドを交換する場合、カメラヘッドの画素数に応じて信号処理回路２０２及びデータ多重・分離化部２３０にパラメータを設定する。この設定をすることにより映像信号とデータの多重分離が確実に行なうことができ、ヘッド部１００と画像処理部２００とのデータ送受信が可能となる。例えばカメラ部１４０の撮像素子１０３の画素数は２７万画素、カメラ部１５０の撮像素子１２３の画素数は４１万画素である。この場合、システム制御部２５０派ディップスイッチ２２７を読み出し、カメラ部の識別を行う。カメラ部１４０が接続された場合は２７万画素モードで、カメラ部１５０が接続された場合は４１万モードでそれぞれ信号処理回路２０２、データ多重・分離化部２３０を初期化する。
【００２８】
尚第１実施例では映像信号とデータ信号を多重してヘッド部１００から画像処理部２００に送信する場合、画像処理部２００でＣＣＤの画素数に応じたモード設定をしないと、多重・分離がうまくいかない。ユーザはヘッド部１００のＣＣＤの画素数に応じて、画像処理部２００のデップスイッチ２２７を設定する必要がある。ところがディップスイッチの設定を忘れたり、設定が間違っていたりすると正常な絵が出力されない、カメラ部１００と信号処理部２００のデータ通信ができない等の可能性がある。
【００２９】
図２は本発明の第２実施例である画像入力部の構成を示すブロック図である。
【００３０】
従来例との差異はディップスイッチ２２７がなくなった点である。システム制御部２５０はディップスイッチ２２７をリードしてカメラ部１００の種類の検出を行うのではなく、カメラ部１００からの同期信号を検出してヘッドの種類を検知する。本実施例ではカメラ部１００から画像処理部２００に送られる映像クロックを利用してヘッド部が例えば２７万画素ＣＣＤヘッドか例えば４１万画素ＣＣＤヘッドか検知する。
【００３１】
図３はシステム制御部２５０のブロック図である。システム制御部はワンチップマイコン及びそれを制御するソフトウェアからなる。２５１は内部バス、２５２はＣＰＵ、２５３はソフトウェアを格納するＲＯＭ、２５４はソフトウェアのワーク領域として使用するＲＡＭ、２５５は書き換え可能なＲＯＭ（ＥＥＰＲＯＭ）で、制御に必要なデータが格納されている。２５６はタイマ部、２５７は各種デバイスを制御するためのＩ／Ｏポート、２５８は各カメラ部１００、ホスト部４００とのコマンド通信を行うと共に、画像処理部２００の各デバイスとシリアル通信を行い、デバイスの制御を行うためのシリアル通信ポートである。
【００３２】
図４は映像信号に多重化されるＶＩＤＳ（Ｖｅｒｔｉｃａｌ  ｉｎｔｅｒｖａｌ  ｄａｔａ  ｓｉｇｎａｌ）について説明する図である。カメラ部１００と画像処理部２００を接続するケーブル１０９は、操作性、コストの観点から、配線数を減らすことが望ましい。そこで、カメラ部１００と画像処理部２００のデータ信号を映像信号に多重することにより、配線数を減らすことが出来る。映像信号に対するデータの多重・分離を行うのが多重分離化部１２０、２３０である。ここで用いられるデータがＶＩＤＳ（Ｖｅｒｔｉｃａｌ  Ｉｎｔｅｒｖａｌ  Ｄａｔａ  Ｓｉｇｎａｌ）である。
【００３３】
図４（ａ）に示すように映像信号は、有効期間と垂直帰線消去期間に分けることが出来る。有効期間では映像信号が１水平ライン毎に付加されている。ＮＴＳＣ方式の場合、１Ｈ〜２６３Ｈまでが奇数フィールド、２６３Ｈ〜５２５Ｈまでが偶数フィールドである。このうち１Ｈ〜２１Ｈと２６３Ｈ〜２８４Ｈまでが垂直帰線消去期間である。データを多重出来るのは垂直帰線消去期間の１０Ｈ〜２１Ｈと２７３Ｈ〜２８４Ｈである。１０Ｈ〜２１Ｈにはカメラ部１００から画像処理部２００へ送信するデータを多重し、２７３Ｈ〜２８４Ｈには画像処理部２００からヘッド部１００へのデータを多重する。
【００３４】
データ多重期間の１Ｈの信号を拡大したのが図４（ｂ）である。データ信号は２値化され、ＣＣＤ信号の垂直帰線消去期間（＝Ｖブランキング期間）の水平走査期間に重畳される。
【００３５】
図５は本発明に関して、信号処理回路２０２とシステム制御部２５０でやりとりされる信号を説明する図である。
【００３６】
映像クロック２１５はカメラ部１００から信号処理回路２０２に供給される。信号処理部２０２はシリアルデータライン２２３を介して、システム制御部２５０とデータの送受信を行う。信号処理部２０２は映像クロック２１５信号から水平同期信号Ｈｓｙｎｃ、垂直同期信号Ｖｓｙｎｃ、水平同期信号と垂直同期信号が多重された映像同期信号２２０（ｓｙｎｃ）を生成する。水平同期信号と垂直同期信号はシステム制御部２５０の外部入力ポートに接続されている。映像同期信号２２０はケーブル１０９を介してヘッド部１００に供給される。
【００３７】
映像クロック信号２１５、水平同期信号Ｈｓｙｎｃ（２６０）、垂直同期信号Ｖｓｙｎｃ（２６１）、映像同期信号２２０の関係を図６に示す。実際の映像クロック信号の周期はもっと短いが、わかりやすいように拡大して書いてある。水平同期信号２６０、垂直同期信号２６１、映像同期信号２２０の関係は図示の通りである。映像同期信号２２０は垂直同期信号と逆位相でかつ、垂直同期信号２６１のパルスが発生している間はパルスの周期が短くなっている。このようにして水平同期信号２６０と垂直同期信号２６１を多重して映像同期信号２２０が生成される。
【００３８】
水平同期信号２６０は映像信号２１８の水平帰還毎に発生するパルスが連続した信号である。ＮＴＳＣでは６３．５マイクロ秒毎にパルスが発生する。垂直同期信号２６１は映像信号の垂直帰還毎に発生するパルスが連続した信号である。ＮＴＳＣでは１６．７ミリ秒毎にパルスが発生する。信号処理部２０２では映像クロック信号２１５をカウントする事により水平同期信号２６０と垂直同期信号２６１を生成する。映像クロック２１５の周波数は２７万画素ヘッド部１４０と４１万画素ヘッド部１５０では異なる。２７万画素ヘッド１４０の場合は９．５ＭＨｚ、４０万画素ヘッドの場合は１４．３ＭＨｚである。システム制御部２５０から画像処理部２０２にシリアルデータ線２２３を介して、２７万画素モードまたは４１万画素モードの設定を行う。これにより信号処理部２０２から正しい水平同期信号２３０と垂直同期信号２３１が出力される。
【００３９】
ＣＣＤの画素数に応じたモードに設定されていないと周期の異なる同期信号が出力される。図７（ａ）は、信号処理部２０２を４１万画素モードに設定して、４１万画素ヘッド１５０を接続した場合の水平同期信号２６０である。画素数に対応したモードが設定されているので垂直同期信号２６１のパルスが正しい間隔（６５．３マイクロ秒）で発生している。図７（ｂ）は信号処理部２０２を４１万画素モードに設定して、２７万画素ヘッド１４０を接続した場合の水平同期信号２６０を示した図である。画素数に対応したモードが画設定されていないので、垂直同期信号２６１のパルスが水平帰間間隔とは異なる間隔（９７．６マイクロ秒）で発生している。図７（ｃ）は信号処理部２０２を４１万画素モードに設定して、ヘッド部を接続しなかった場合の水平同期信号２６０を示した図である。映像クロック信号２１５が入力されていないため、垂直同期信号２６１にパルスが発生していない。本実施例は上記のような、水平同期信号２６０のパルス間隔の違いに着目して、カメラ部の種類の判別及び、カメラ部未接続の判検知行う。
【００４０】
図８にシステム制御部２５０がカメラ部の検知を行うときのフローチャートを示す。この動作はシステムの初期化時に行う。
【００４１】
Ｓ１００でシステム制御部２５０は信号処理部２０２、多重分離化部２３０をデフォルトとして例えば４１万画素ＣＣＤモードに設定する。
【００４２】
Ｓ１０１で信号処理部２０２から出力される水平同期信号２６０のパルスの間隔を測定する。
【００４３】
Ｓ１０２でＳ１０１で測定したパルス間隔が、９５マイクロ秒から１００マイクロ秒の間にあるなら、ヘッド部に２７万画素のＣＣＤが接続されていると判定し、Ｓ１０３へ進む。
【００４４】
Ｓ１０３ではシステム制御部２５０は信号処理部２０２、多重分離化部２３０を２７万画素ＣＣＤモードに設定する。
【００４５】
Ｓ１０４でＳ１０１で測定したパルス間隔が、６０マイクロ秒から７０マイクロ秒の間にあるなら、ヘッド部に４１万画素ＣＣＤが接続されていると判定する。この場合は信号処理部２０２は既に４１万画素モードに設定されているのでモードの設定は行わない。
【００４６】
Ｓ１０６でヘッドの画素数をパラレルデータ線２２６を介してホスト端末４００に通知する。ホスト端末ではこれを不図示のディスプレー上に何らかの表示をすることによりユーザに通知する。
【００４７】
Ｓ１０５はＳ１０２、Ｓ１０４の条件を満たさない場合なので、ヘッド未接続と判定する。システム制御部２５０はエンコーダ２０４に映像信号ミュートの設定を行う。これによりモニタ３００にノイズ画像が出力されることを防ぐ。またホスト端末４００にヘッド未接続を通知する。ホスト端末４００では不図示のディスプレー上にこれに対応した表示を行なうことによりユーザにヘッド未接続を通知する。またホスト端末４００は映像表示ウィンドウにノイズ画面が表示されないように映像表示ウィンドウを閉じる、または他の映像をオーバーレイする等の処理を行う。
【００４８】
本実施例においては、水平同期信号のパルスの間隔に着目して、カメラヘッドの画素数及びカメラヘッドの未接続の判定を行ったが、これは垂直同期信号の間隔を用いても良い。
【００４９】
本実施例においては、ＮＴＳＣを実施例としたが、ＯＡＬ、ＳＥＣＭ等、他の規格でも同様な処理で、ヘッドの画素数検知が可能である。
【００５０】
本発明の第３の実施例を以下に示す。
【００５１】
信号処理回路２０２を利用しない場合は、映像クロック信号２１５のパルスをカウントする回路を設け、カウント回路の出力パルスを判定に使用しても良い。
【００５２】
図９はヘッド検知のためにカウンタ回路２４０を映像処理部２５０に接続した例である。カウンタ回路２４０は映像クロック２１５をカウントしカウントアップしたら信号２３３にパルスを付加することによりシステム制御部２５０に通知する。
【００５３】
例えばカウンタ回路２４０のカウントアップ値を１０００に設定する。この場合、２７万画素ＣＣＤが接続され、９．５ＭＨｚの映像クロックが入力されると、１０５マイクロ秒毎にパルスが発生する。４１万画素ＣＣＤが接続され、１４．３ＭＨｚの映像クロックが入力されると、６９．９マイクロ秒毎にパルスが発生する。以上の様にカウンタ回路を設ければ、カウントアップ信号の間隔を判別することで画素数の判別及びカメラヘッド未接続の判定が可能になる。
【００５４】
図１０に本実施例に於いてシステム制御部２５０がカメラ部の検知を行うときのフローチャートを示す。この動作はシステムの初期化時に行う。
【００５５】
Ｓ２０１でシステム制御部２５０はカウンタ回路２４０から出力されるパルスの間隔を測定する。Ｓ２０２でＳ２０１で測定したパルス間隔が、１００マイクロ秒から１１０マイクロ秒の間にあるなら、ヘッド部に２７万画素ＣＣＤが接続されていると判定し、Ｓ２０３へ進む。Ｓ２０３ではシステム制御部２５０は信号処理部２０２、多重分離化部２３０を２７万画素ＣＣＤモードに設定する。
【００５６】
Ｓ２０４でＳ２０１で測定したパルス間隔が、６５マイクロ秒から７５マイクロ秒の間にあるなら、ヘッド部に４１万画素ＣＣＤが接続されていると判定し、Ｓ２０５へ進む。Ｓ２０５では信号処理部２０２、多重分離化部２３０を４１万画素モードに設定する。
【００５７】
Ｓ２０６はＳ２０２、Ｓ２０４の条件を満たさない場合なので、ヘッド未接続と判定する。ホスト端末４００にヘッド未接続を通知する。ホスト端末４００では不図示のディスプレー等を用いてユーザにヘッド未接続を通知する。
【００５８】
本発明の第４の実施例を以下に示す。
【００５９】
本実施例ではカメラ部１００から画像処理部２００に送られる映像同期信号（ｓｙｎｃ）を利用してヘッド部が２７万画素ＣＣＤヘッドか４１万画素ＣＣＤヘッドか検知する。
【００６０】
図１１は第４の実施例の構成を示すブロック図である。第１〜３の実施例においてはヘッド部１００から画像処理部２００へは映像クロック１１０、２１５と、データを多重した映像信号１２１、２３１を、画像処理部２００からヘッド部へは映像同期信号１１１、２２０を送っていたが、第４の実施例においては、映像同期信号についてもヘッド部１００から画像処理部２００へ供給する。また、第１〜３の実施例においては画像処理部はコンピュータに内蔵するボードタイプであったが、第４の実施例においてはスタンドアロンタイプである。電源はＡＣアダプタ等、外部から供給し、映像はＮＴＳＣモニタに表示する。またホスト端末はＲＳ２３２Ｃ等のシリアルケーブルで接続できるが、必須ではない。ホスト端末から制御する必要がある場合のみ接続する。
【００６１】
第１〜第３の実施例と異なる部分について図１１を用いて説明する。
【００６２】
ヘッド部１４０において１３０は映像クロック１１０から垂直同期信号、水平同期信号を得て垂直同期信号と水平同期信号を多重した映像同期信号１１１を生成する同期信号発生回路（ＳＳＧ）である。映像同期信号１１１はＴＧ１０５と信号処理部２００に供給される。ヘッド部で映像同期信号１１１を生成するので、映像クロック１１０は画像処理部２００には供給しない。
【００６３】
画像処理部２００について説明する。
【００６４】
２３５はヘッド部からの映像同期信号２２０を水平同期信号２６０と垂直同期信号２６１に分離するＶ／Ｈ分離部である。
【００６５】
２３６は電源部である。外部から供給される電圧から、内部で必要な電圧を生成する。２１２はＡＣアダプタ等から電力を供給するためのコネクタである。
【００６６】
図１２に信号の流れを示す。Ｖ／Ｈ分離部２３５で生成された水平同期信号２６０と垂直同期信号２６１はシステム制御部２５０に入力される。システム制御部２５０では図７のフローチャートに従って、ヘッド部ＣＣＤの画素数を検知する。Ｓ１０６でコネクタ２１１にＲＳ２３２Ｃケーブルを介してホスト端末が接続されている場合、ホスト端末にヘッド未接続を通知する。
【００６７】
本実施例では映像クロックを送信しないため、コネクタ１０９の信号線を減らすことが出来る。
【００６８】
【発明の効果】
請求項１の発明によれば異なる画素数を有するカメラを変換した場合における同期ずれの問題を解決できる。又請求項２の発明によればカメラヘッドの種類を自動的に検出することにより、ユーザはディップスイッチ等でカメラの設定を行う必要がなくなる。また、スイッチの設定ミスにより絵が正しく出力されないという問題点もなくなる。
【図面の簡単な説明】
【図１】本発明の第１実施例の構成を示す図。
【図２】映像処理部の構成を示すブロック図である。
【図３】映像処理部のシステム制御部の構成を示すブロック図である。
【図４】ＶＩＤＳを説明する図である。
【図５】信号処理部とシステム制御部の間でやりとりされる信号線を説明する図。
【図６】映像クロックと各同期信号を示す図。
【図７】ヘッドの種類の応じた水平同期信号を示す図。
【図８】第２の実施例の動作を説明するフローチャート。
【図９】第３の実施例を説明する図。
【図１０】第３の実施例の動作を説明するフローチャート。
【図１１】第４の実施例を説明する図。
【図１２】第４の実施例を説明する図。
【符号の説明】
１００  カメラ部
２００  映像処理部
３００  モニタ部
４００  ホスト部
【図１】
0003780054.tif 000002
【図２】
0003780054.tif 000003
【図３】
0003780054.tif 000004
【図４】
0003780054.tif 000005
【図５】
0003780054.tif 000006
【図６】
0003780054.tif 000007
【図７】
0003780054.tif 000008
【図８】
0003780054.tif 000009
【図９】
0003780054.tif 000010
【図１０】
0003780054.tif 000011
【図１１】
0003780054.tif 000012
【図１２】
0003780054.tif 000013